(57)【要約】【課題】利便性を向上させることを目的とする。【解決手段】本発明の紙葉類処理装置１は、操作支援者による操作支援を利用者が受けられないセルフモードと、操作支援を利用者が受けられる非セルフモードと、の何れかの運転モードで動作し、入金処理において紙葉類を取り込む入金口２１１と、入金口２１１から取り込んだ紙葉類を搬送する搬送部４１と、搬送部４１により搬送された紙葉類を収納する複数の収納部３１と、複数の収納部３１のそれぞれに紙葉類を収納するための収納条件に基づいて、搬送部４１を制御して、複数の収納部３１に紙葉類を搬送させる制御部１０と、を備え、制御部１０は、運転モードがセルフモードの場合と、運転モードが非セルフモードの場合とで、複数の収納部３１の内、少なくとも一つの収納部３１の収納条件を変更する。【選択図】図１
2020154588.tif 000002
【特許請求の範囲】
【請求項１】
操作支援者による操作支援を利用者が受けられないセルフモードと、前記操作支援を前記利用者が受けられる非セルフモードと、の何れかの運転モードで動作する紙葉類処理装置であって、
入金処理において紙葉類を取り込む入金口と、
前記入金口から取り込んだ前記紙葉類を搬送する搬送部と、
前記搬送部により搬送された前記紙葉類を収納する複数の収納部と、
前記複数の収納部のそれぞれに紙葉類を収納するための収納条件に基づいて、前記搬送部を制御して、前記複数の収納部に前記紙葉類を搬送させる制御部と、を備え、
前記制御部は、前記運転モードが前記セルフモードの場合と、前記運転モードが前記非セルフモードの場合とで、前記複数の収納部の内、少なくとも一つの収納部の前記収納条件を変更する
紙葉類処理装置。
【請求項２】
前記複数の収納部として、第一収納部と、第二収納部と、第三収納部と、を備え、
前記制御部は、
前記セルフモードであるか前記非セルフモードであるかに拘わらず、前記第一収納部の前記収納条件を、前記紙葉類の金種が所定の金種であることに設定し、
前記第二収納部及び前記第三収納部の少なくとも一方の前記収納条件を、前記セルフモードの場合と前記非セルフモードの場合とで異なる条件に設定する
請求項１に記載の紙葉類処理装置。
【請求項３】
前記制御部は、前記セルフモードの場合、前記第二収納部及び前記第三収納部の少なくとも一方の前記収納条件を、前記第一収納部の前記収納条件と同様の紙葉類の金種であることに設定する
請求項２に記載の紙葉類処理装置。
【請求項４】
前記制御部は、前記セルフモードの場合、前記第二収納部及び前記第三収納部の少なくとも一方の前記収納条件を、前記紙葉類の金種が、前記紙葉類処理装置が設置された地域において流通量が最多の金種であることに設定する
請求項２または３に記載の紙葉類処理装置。
【請求項５】
前記制御部は、前記セルフモードの場合、
前記第二収納部の前記収納条件を、前記紙葉類の金種が、前記紙葉類処理装置が設置された地域で発行された金種であることに設定すると共に、
前記第三収納部の前記収納条件を、前記紙葉類の金種が、前記紙葉類処理装置が設置された地域以外で発行された金種であることに設定する
請求項２に記載の紙葉類処理装置。
【請求項６】
前記制御部は、前記セルフモードと前記非セルフモードとの間で切り替えが行われると、前記第二収納部及び前記第三収納部の少なくとも一方を制御し、収納されている全ての紙葉類を繰り出す
請求項２〜５の何れか一項に記載の紙葉類処理装置。
【請求項７】
前記第二収納部及び前記第三収納部の少なくとも一方は、前記紙葉類処理装置に対して着脱可能に構成されている
請求項１〜６の何れか一項に記載の紙葉類処理装置。
【請求項８】
前記制御部は、前記セルフモードの場合、前記複数の収納部に紙葉類を収納するための処理を制限することで前記入金処理の制限を行う
請求項１〜７の何れか一項に記載の紙葉類処理装置。
【請求項９】
前記入金口から入金された前記紙葉類の金種を識別する識別部をさらに備え、
前記制御部は、
前記識別部における識別情報に基づいて、前記入金処理において入金される前記紙葉類の金種、前記入金処理において入金される前記紙葉類の枚数、及び、前記入金処理の回数を監視し、
前記入金処理の前記制限として、前記紙葉類の前記金種，前記紙葉類の前記枚数及び前記入金処理の前記回数の少なくとも一つを制限する
請求項１〜８に記載の紙葉類処理装置。
【請求項１０】
前記入金口から入金された前記紙葉類の正損の程度を示す正損情報を取得する識別部をさらに備え、
前記制御部は、前記正損情報と設定されている閾値とを比較して前記紙葉類が正券であるか否かを判定し、
前記制御部は、前記セルフモードの場合、前記非セルフモードの場合に比べて、前記閾値を、前記紙葉類が前記正券であると判定される基準を高める側に変更する
請求項１〜９に記載の紙葉類処理装置。
【請求項１１】
前記入金処理を行う前記利用者に関する利用者情報を取得する取得部と、
前記紙葉類の真偽に関する真偽情報を取得する識別部と、
前記複数の収納部のいずれにも収納しない前記紙葉類が排出される排出部と、
記憶部とをさらに備え、
前記制御部は、前記真偽情報に基づいて前記紙葉類が偽券であると判定すると、前記記憶部に前記利用者情報を記憶させる共に、
前記セルフモードの場合には、前記搬送部を制御して、前記偽券と判定された前記紙葉類を、前記紙葉類処理装置内に保持する一方、
前記非セルフモードの場合には、前記搬送部を制御して、前記偽券と判定された前記紙葉類を前記排出部へ搬送する
請求項１〜１０に記載の紙葉類処理装置。
【請求項１２】
前記第二収納部及び前記第三収納部の少なくとも一方は、収納した前記紙葉類を繰り出し可能である
請求項２に記載の紙葉類処理装置。
【請求項１３】
前記第二収納部は、前記紙葉類を巻回して収納する巻回式収納部、及び、前記紙葉類を積層して収納する積層式収納部の一方であり、
前記第三収納部は、前記巻回式収納部、及び、前記積層式収納部の他方である
請求項２に記載の紙葉類処理装置。
【請求項１４】
前記制御部は、取得した時刻情報に基づいて、前記運転モードを、前記セルフモード又は前記非セルフモードに設定する
請求項１〜１３の何れか一項に記載の紙葉類処理装置。
【請求項１５】
前記運転モードを選択する選択操作を受け付けるモード選択部をさらに備え、
前記制御部は、前記モード選択部からの運転モード情報に基づいて、前記運転モードを、前記セルフモード又は前記非セルフモードに設定する
請求項１〜１４の何れか一項に記載の紙葉類処理装置。
【請求項１６】
前記紙葉類を払い出す出金口をさらに備え、
前記出金口には、開閉するシャッタが設置され、
前記制御部は、
前記セルフモードの場合、前記搬送部を制御して前記紙葉類を前記出金口に送り出す出金動作中には前記シャッタを開状態とする一方、前記出金動作中でないときには前記シャッタを閉状態とする
請求項１〜１５の何れか一項に記載の紙葉類処理装置。
【請求項１７】
前記制御部は、
前記セルフモードでは、前記利用者の操作を受け付ける第一操作端末から操作指令を受け付ける一方、前記操作支援者の操作を受け付ける第二操作端末から操作指令を受け付けず、
前記非セルフモードでは、前記第一操作端末から操作指令を受け付けると共に、前記第二操作端末から操作指令を受け付ける
請求項１〜１６の何れか一項に記載の紙葉類処理装置。
【発明の詳細な説明】
【技術分野】
【０００１】
本発明は、紙葉類の処理に供される紙葉類処理装置に関する。
【背景技術】
【０００２】
従来、紙葉類の処理に供される紙葉類処理装置として、例えば紙幣の入出金処理を行う紙幣処理装置が使用されている（例えば特許文献１参照）。
【先行技術文献】
【特許文献】
【０００３】
【特許文献１】特開２０１４−１０９９６３号公報
【発明の概要】
【発明が解決しようとする課題】
【０００４】
このような紙幣処理装置に例示される紙葉類処理装置では、種々の使用状況に応じて適切な運転を行って利便性を向上させることが要望されている。
【０００５】
本発明は、このような課題を解決するために創案されたものであり、利便性を向上させることを目的とする。
【課題を解決するための手段】
【０００６】
上記従来の課題を解決するために、本発明の紙葉類処理装置は、操作支援者による操作支援を利用者が受けられないセルフモードと、前記操作支援を前記利用者が受けられる非セルフモードと、の何れかの運転モードで動作する紙葉類処理装置であって、入金処理において紙葉類を取り込む入金口と、前記入金口から取り込んだ前記紙葉類を搬送する搬送部と、前記搬送部により搬送された前記紙葉類を収納する複数の収納部と、前記複数の収納部のそれぞれに紙葉類を収納するための収納条件に基づいて、前記搬送部を制御して、前記複数の収納部に前記紙葉類を搬送させる制御部と、を備え、前記制御部は、前記運転モードが前記セルフモードの場合と、前記運転モードが前記非セルフモードの場合とで、前記複数の収納部の内、少なくとも一つの収納部の前記収納条件を変更する。
【発明の効果】
【０００７】
本発明によれば、利便性を向上させることができる。
【図面の簡単な説明】
【０００８】
【図１】紙幣処理装置の構成を示す模式的な側面図。
【図２】紙幣の異常検出方法を説明するための模式図であって、紙幣処理装置の要部側面図。
【図３】紙幣の異常検出方法を説明するための模式図であって、紙幣処理装置の要部平面図。
【発明を実施するための形態】
【０００９】
以下、本発明の紙葉類処理装置の一実施形態としての紙幣処理装置ついて、図面を参照しながら説明する。以下に示す一実施形態はあくまでも例示に過ぎず、以下の一実施形態で明示しない種々の変形や技術の適用を排除するものではない。また、一実施形態の各構成は、それらの趣旨を逸脱しない範囲で種々変形して実施することができる。さらに、一実施形態の各構成は、必要に応じて取捨選択することができ、あるいは適宜組み合わせることができる。
【００１０】
なお、一実施形態を説明するための全図において、同一要素は原則として同一の符号を付し、その説明を省略することもある。
【００１１】
［１．構成］
以下、本発明の一実施形態に係る紙幣処理装置の構成について図面を参照しながら詳細に説明する。図１は、本発明の一実施形態の紙幣処理装置１の構成を示す模式的な側面図である。
【００１２】
以下の説明では、紙幣処理装置１の操作表示部１００（第一操作端末）の配置された側を前とし、その反対側を後とする。また、前後方向と直交する水平方向を幅方向とする。
【００１３】
図１に示す紙幣処理装置１は、銀行のロビーに配置され、銀行の顧客（利用者）が、操作表示部１００を自ら操作して入出金処理などが行える装置である。すなわち、銀行の顧客が、操作表示部１００を介して紙幣処理装置１の制御部１０に操作指令を入力する。また、銀行の営業中など所定の時間帯においては、紙幣処理装置１は、銀行のオペレータ（操作支援者）が操作するオペレータ端末２００（第二操作端末）と通信可能とされる。顧客の操作中にトラブル等が生じた場合、オペレータは、オペレータ端末２００を介してトラブルを解消するため等のサポート（操作支援）を行う。例えば、オペレータは、オペレータ端末２００を操作して、紙幣処理装置１の制御部１０に操作指令を出力して、トラブルを解消するためのガイダンスを操作表示部１００に表示させることができる。また、銀行の営業中など所定の時間帯においては、銀行のオペレータが、操作表示部１００を操作することにより、サポートを行ってもよい。
【００１４】
ここで、紙幣処理装置１のセルフ状態または非セルフ状態について説明する。セルフ状態とは、銀行の顧客が紙幣処理装置１を独力で操作する際の設定がなされた状態を意味する。言い換えると、セルフ状態とは、紙幣処理装置１が設置されている銀行などの機関の営業時間外用に紙幣処理装置１が設定された状態である。また、非セルフ状態とは、銀行の顧客が紙幣処理装置１を操作する際に必要であれば銀行の操作支援者により支援が受けられるように設定された状態を意味する。言い換えると、非セルフ状態とは、紙幣処理装置１が設置されている銀行などの機関の営業時間内用に紙幣処理装置１が設定された状態である。
【００１５】
セルフ状態用の設定の一例としては、出金口２３１のシャッタ２３ａが紙幣処理装置１の動作状態に応じて動作する紙幣処理装置１の設定である。非セルフ状態用の設定の一例としては、出金口２３１のシャッタ２３ａが紙幣処理装置１の動作状態に関わらず常時退避している（常時開いている）紙幣処理装置１の設定である。
【００１６】
セルフ状態用の設定の他の例としては、制御部１０がオペレータ端末２００から操作指令を受け付けることができない紙幣処理装置１の設定である。非セルフ状態用の設定の他の例としては、制御部１０がオペレータ端末２００から操作指令を受け付けることができる紙幣処理装置１の設定である。
【００１７】
そして、詳しく後述するが、紙幣処理装置１は、セルフ状態での運転モード（以下、「セルフモード」という）と、非セルフ状態での運転モード（以下、「非セルフモード」という）とで、各種設定等を変更して紙幣処理を行う。
【００１８】
さて、紙幣処理装置１は、上部の処理部１１と、下部の金庫部１３とに大別される。処理部１１を構成する筐体１１１内には、入金口２１１を有する入金部２１と、出金口２３１を有する出金部２３と、紙幣（紙葉類）の識別を行う識別部２５と、一時的に紙幣を収納する一時保留部５１と、入金部２１、出金部２３、識別部２５及び一時保留部５１を相互に連結する搬送路４１１を含む搬送部４１と、が設けられている。一方、処理部１１を構成する筐体１１１の下側に配置される筐体１３１は、金庫部１３を構成する筐体であり、その内部に格納している収納部３を、所定以上のセキュリティレベルで防護するように構成されている。以下、筐体１３１を防護筐体１３１ともいう。なお、搬送路４１１は、図１では環状に形成されているが、これに限定されない。例えば、搬送路４１１は、一部だけが環状に形成された搬送路でもよいし、または、環状に形成された部分を有さない搬送路でもよい。搬送路４１１に環状部分がある場合には、当該環状部分に紙幣を循環させることができる。
【００１９】
処理部１１の上部前方には、前述の操作表示部１００が取り付けられている。操作表示部１００は例えばタッチパネルである。操作表示部１００には、紙幣処理装置１における紙幣の入金処理等の処理状況や、収納カセット３１Ａ〜３１Ｆに収納されている紙幣の在高等に関する情報が表示される。また、上述したように顧客は操作表示部１００を操作することにより制御部１０に対して様々な指令を与えることができる。
【００２０】
金庫部１３には、複数の（図１の例では６個の）収納カセット３１Ａ〜３１Ｆと、一つの回収カセット３２を含んで構成された収納部３が設けられている。以下の説明において、収納カセット３１Ａ〜３１Ｆを総称する場合には収納カセット３１と表記する。収納カセット３１と回収カセット３２とについては詳しく後述する。
【００２１】
防護筐体１３１の前面には扉１３３が設けられている。扉１３３を開閉することで、金庫部１３の開状態と閉状態とを切り替えることができる。扉１３３の前面には、電子錠１３３ａが設けられ、この電子錠１３３ａは、例えば、予め設定された暗証番号を入力することによって解錠することができる。電子錠１３３ａの解錠により、扉１３３を開放して、収納部３にアクセス（接触）することが可能になる。
【００２２】
入金口２１１は、例えば入金処理の際に入金する紙幣を投入するための口である。入金口２１１は、処理部側筐体１１１の上面において上向きに開口していて、複数枚の紙幣を一度に受け入れ可能に構成されている。入金部２１はまた、入金口２１１に投入された複数枚の紙幣を、一枚ずつ、搬送路４１１に繰り出す繰り出し機構を備えている。また、入金部２１には、入金口２１１を開閉するシャッタ２１ａが備えられている。図１では、シャッタ２１ａが入金口２１１を閉じた状態が示されている。図１では、入金口２１１にシャッタ２１ａを設けた例を示したが、入金口２１１にシャッタ２１ａを設けなくてもよい。
【００２３】
出金口２３１は、例えば出金処理の際に紙幣を払い出すための口である。出金口２３１は、入金口２１１よりも奥行き方向の手前側で、処理部側筐体１１１の上面において上向きに開口している。出金口２３１は、搬送されてきた紙幣を集積し、複数枚の紙幣を一度に保持可能なリフトを有している（図示省略）。また、出金部２３には、出金口２３１を開閉するシャッタ２３ａが備えられている。図１では、シャッタ２３ａが出金口２３１を閉じた状態が示されている。図１では、出金口２３１にシャッタ２３ａを設けた例を示したが、出金口２３１にシャッタ２３ａを設けなくてもよい。
【００２４】
識別部２５は、搬送路４１１上に設けられ、その搬送路４１１に沿って搬送される紙幣の一枚一枚について、その真偽、金種及び正損を識別するように構成されている。
【００２５】
搬送部４１は、処理部側筐体１１１内に設けられた搬送路４１１を備えている。紙幣は、この搬送路４１１に沿って図１における時計回り方向及び反時計回り方向に搬送される。この搬送路４１１は、図示は省略するが、多数のローラ、複数のベルト、これらを駆動するモータ、搬送される紙幣を検出するセンサ及び複数のガイドの組み合わせによって構成されている。搬送路４１１は、その搬送路に沿って、紙幣と紙幣との間に所定間隔を隔てた状態で、紙幣を一枚ずつ搬送する。搬送路４１１と入金口２１１との間は、投入路４１３によって互いに接続されており、入金口２１１に投入された紙幣は、この投入路４１３を通って搬送路４１１まで搬送される。
【００２６】
搬送路４１１には、収納カセット３１Ａ〜３１Ｆ及び回収カセット３２のそれぞれに接続される分岐路４１７が、図示省略の分岐機構を介して接続されている。各分岐機構の動作制御によって、搬送路４１１上を搬送されている紙幣が選択的に、分岐路４１７を通じて収納カセット３１Ａ〜３１Ｆ及び回収カセット３２のいずれかに搬送されてそこに収納される。また、収納カセット３１Ａ〜３１Ｆは収納した紙幣を繰り出す機構を備えている。いずれかの収納カセット３１Ａ〜３１Ｆから繰り出された紙幣は、分岐路４１７を介して搬送路４１１に搬送されるようになる。回収カセット３２は、収納した紙幣を繰り出す機構を備えていない。つまり、回収カセット３２は、出金されない紙幣、例えば、最大金種の紙幣や損券や偽券等が収納される。
【００２７】
各分岐路４１７には、紙幣の斜行角を検出するための光学センサＣが備えられている。図１では便宜上、収納カセット３１Ｄに繋がる分岐路４１７についてのみ光学センサＣを示している。
【００２８】
搬送路４１１にはまた、払出路４１５が、紙幣の搬送方向を切り替える分岐機構（図示省略）を介してそれぞれ接続されている。払出路４１５の先端は、出金口２３１に接続されている。搬送路４１１上を搬送されている紙幣は、分岐機構の動作制御によって選択的に、払出路４１５を通って出金口２３１に搬送される。
【００２９】
搬送路４１１にはさらに、一時保留部５１に接続される分岐路４１６が図示省略の分岐機構を介して接続されている。
【００３０】
搬送路４１１上を時計回り方向又は反時計回りに搬送されている紙幣は、分岐機構の動作制御によって選択的に分岐路４１６を通って一時保留部５１に搬送される。また、一時保留部５１から繰り出され、分岐路４１６を通って搬送されてきた紙幣が、搬送路４１１上で時計回り又は反時計回り方向に搬送される。
【００３１】
収納部３には、前述したように、６個の収納カセット３１Ａ〜３１Ｆが設置されている。詳しくは、装置後方から装置前方に（図１の紙面左から右に）、収納カセット３１Ａ，３１Ｂ，３１Ｃがこの順に並設され、収納カセット３１Ｃの装置前方に収納カセット３１Ｄ，３１Ｅが上下に並設され、収納カセット３１Ｄ，３１Ｅの装置前方に収納カセット３１Ｆが配置されている。これらの収納カセット３１Ａ〜３１Ｆの内、収納カセット３１Ａ〜３１Ｃ，３１Ｆは積層式の収納カセットであり、収納カセット３１Ｄ，３１Ｅは巻回式の収納カセットである。収納カセット３１Ａ，３１Ｂ，３１Ｃはそれぞれ本発明の第一収納部を構成し、収納カセット３１Ｄ，３１Ｅは本発明の第二収納部を構成し、収納カセット３１Ｆは本発明の第三収納部を構成する。
【００３２】
積層式の各収納カセット３１Ａ〜３１Ｃ，３１Ｆの内部には、図１に示すように、そこに集積される紙幣の量に応じて昇降する集積台３１１が設けられている。これらの各収納カセット３１Ａ〜３１Ｃ，３１Ｆは、搬送路４１１から、各カセットの出入口を通ってその内部に送り込まれた紙幣を、集積台３１１の上で、下から上の順に積み重ねて収納するように構成され、かつ、集積台３１１上に積み重ねられた紙幣を、上から下の順に一枚ずつ出入口を通じて搬送路４１１に繰り出すことが可能に構成されている。なお積層式の収納カセットとは、紙幣の紙面がカセットの内底面に対して実質的に平行になるように紙幣が積層されるカセットを言う。
【００３３】
巻回式の各収納カセット３１Ｄ，３１Ｅは、概略矩形箱状の筐体内に、紙幣をガイドする一枚のテープ、ガイド部材、及び、紙幣と共にテープを巻き取るリール３１２を備えて構成されるか、又は、筐体内に、紙幣を挟む２枚のテープ、及び、紙幣を挟み込んだ２枚のテープを巻き取るリール３１２を備えて構成される。いずれの構成においても、巻回式の各収納カセット３１Ｄ，３１Ｅは、紙幣を一枚ずつ巻き取って収納すると共に、その収納した順番とは逆順で、紙幣を一枚ずつ繰り出す、いわゆる先入れ後出しとなるように紙幣を収納する。
【００３４】
図示は省略するが、金庫部１３の扉１３３を開けた状態で、収納部３を装置の手前に引き出すことが可能である。オペレータは、引き出した収納部３の各収納カセット３１Ａ〜３１Ｆを個別に開けて、収納されている紙幣を取り出すことが可能に構成されている。また、扉１３３を開けた状態で、回収カセット３２を金庫部１３から取り出すことができるように構成されている。
【００３５】
さらに、後述するように、収納カセット３１Ｄ，３１Ｅ，３１Ｆは、回収カセットとしても使用され金庫部１３から着脱自在に構成されている。したがって、収納カセット３１Ｄ，３１Ｅ，３１Ｆは、回収カセット３２と同様に、扉１３３を開けた状態で金庫部１３から取り出すことができる。
【００３６】
一時保留部５１は、前述したように、分岐路４１６に接続されている。この一時保留部５１は、例えば出金処理時に発生したリジェクト紙幣を一時的に収納する。一時保留部５１は、収納カセット３１Ｄ，３１Ｅと同様に巻回式のものである。
【００３７】
また、紙幣処理装置１には装置前方にカードリーダ６０と生体認証装置６１とを備えている。カードリーダ６０は、顧客が所持するキャッシュカード等に記録された口座情報を読み取る。生体認証装置６１は、生体認証を行うことで、紙幣処理装置１の利用者である顧客の識別情報を認証するためのものであり、顧客の指紋又は網膜に関する情報を取得する。
【００３８】
また、紙幣処理装置１には、種々の情報を記憶する記憶部１０ａが備えられている。
【００３９】
［２．非セルフモード及びセルフモード］
紙幣処理装置１は、上述したように、運転モードとして、セルフモード又は非セルフモードとで動作する。
【００４０】
非セルフモードとセルフモードとの切り替えは、時間帯に応じて制御部１０が行う。例えば、制御部１０は、外部から取得した時刻情報又は制御部１０自体が備えるタイマ機能により取得した時刻情報に基づいて時間帯を判定する。そして、制御部１０は、紙幣処理装置１の運転モードを、オペレータの業務時間帯（例えば午前９時〜午後６時）では非セルフモードとし、オペレータの非業務時間帯（例えば午後６時〜午前９時）ではセルフモードとする。
【００４１】
非セルフモードとセルフモードとの切り替えは、時間帯に応じて制御部１０が行うことに替えて又は加えて、オペレータが、オペレータ端末２００又は操作表示部１００を操作して行うようにしてもよい。この場合、オペレータ端末２００又は操作表示部１００が本発明の「運転モードを選択する選択操作を受け付けるモード選択部」に対応する。
【００４２】
紙幣処理装置１は、セルフモードでは、顧客はオペレータからのサポートが受けられないため、紙幣処理装置１が紙幣の回収処理やトラブル処理が不要となるように運用制限が行われる。具体的には、紙幣処理装置１は、非セルフモードとセルフモードとで、下表１に示す項目（１）〜（１５）に関して態様を変更する。項目（１）〜（６）は紙幣処理装置１の各種設定の変更に関し、項目（７）〜（１２）は紙幣処理装置１の各種動作の変更に関し、項目（１３）〜（１５）は紙幣処理装置１のセキュリティについての変更に関する。以下各項目について説明する。
【表１】
2020154588.tif 000003
【００４３】
（１）金種制限
（１−１）制御部１０は、非セルフモードでは、収納カセット３１Ａ〜３１Ｃに収納される紙幣の条件（以下「収納条件」という）を、高額紙幣であることに設定し、収納カセット３１Ｄ〜３１Ｆの収納条件を、低額紙幣であることに設定する。
その一方、制御部１０は、セルフモードでは、収納カセット３１Ａ〜３１Ｃの収納条件を、高額紙幣であることに設定し、収納カセット３１Ｄ〜３１Ｆの少なくとも一つの収納条件を、高額紙幣であることに設定する。すなわち、収納カセット３１Ａ〜３１Ｃに収納される金種は、非セルフモードとセルフモードとに拘わらず一定であり、収納カセット３１Ｄ〜３１Ｆの少なくとも一つに収納される金種は、非セルフモードとセルフモードとで変更される。
【００４４】
本実施形態では、セルフモードでは、収納カセット３１Ｄ〜３１Ｆの両方の収納条件が、高額紙幣の収納に設定される。この結果、セルフモードでは、全ての収納カセット３１Ａ〜３１Ｆの収納条件が高額紙幣の収納に設定され、紙幣処理装置１は低額紙幣の収納が実質的に禁止されることとなる。一般的に高額紙幣（例えば一万円札）に比べて低額紙幣（例えば千円札）は、紙幣処理装置１が設置される地域で流通量が最も多いことが多く、低額紙幣用の収納カセット３１はすぐに満杯になってしまう。そして、オペレータが、この満杯になった収納カセット３１から低額紙幣を回収するまでの間は、紙幣処理装置１により処理が中止される。しかし、セルフモードが行われている時間帯はオペレータが不在である。そこで、セルフモードでは、収納カセット３１Ａ〜３１Ｆの何れかが満杯にならないように、収納カセット３１Ａ〜３１Ｆの収納条件を高額紙幣の収納に設定している。
【００４５】
（１−２）或いは、制御部１０は、非セルフモードでは、収納カセット３１Ａ〜３１Ｃを低額紙幣の収納用に設定し、収納カセット３１Ｄ〜３１Ｆを高額紙幣の収納用に設定する。その一方、制御部１０は、セルフモードでは、非セルフモードのときと同じく収納カセット３１Ａ〜３１Ｃを低額紙幣の収納用に設定する一方、収納カセット３１Ｄ〜３１Ｆの少なくとも一つを、低額紙幣の収納用に設定する。したがって、セルフモードでは、非セルフモードに比べて低額紙幣の収納用の収納カセット３１の台数が増加する。これにより、紙幣処理装置１が設置される領域で最も流通量が多く、紙幣処理装置１に入金される枚数が最も多い低額紙幣が、紙幣処理装置１に入金できない状態となってしまうことが抑制される。
【００４６】
（１−３）紙幣処理装置１が国境近くに設置される場合、紙幣処理装置１は、この紙幣処理装置１が設置された自国Ａ（又は地域）で発行された紙幣と、国境を越えた隣国国Ｂ（又は地域）で発行された紙幣とが入出金される。そこで、制御部１０は、セルフモードでは、収納カセット３１Ｄ，３１Ｅの収納条件を、自国Ａで発行された紙幣であることとし、収納カセット３１Ｆの収納条件を、隣国Ｂで発行された紙幣であることとする。これにより、セルフモードでの運転中に、隣国Ｂの紙幣（外貨）が紙幣処理機１に投入された場合でも紙幣処理を行うことができ利便性が向上する。そして、隣国Ｂの紙幣は出金されないので、出金には不向きの積層式の収納カセット３１Ｆに収納するようにしている。また、自国Ａの紙幣を巻回式の収納カセット３１Ｄ，３１Ｅに収納することで、収納カセット３１Ａ〜３１Ｃが使用できない状態となっても、他の顧客が自国Ａの紙幣の出金する際、巻回式の収納カセット３１Ｄ，３１Ｅに収納された紙幣を用いることができる。したがって、自国通貨を容易にリサイクルできる。
【００４７】
（１−４）セルフモードと非セルフモードとの間で運転モードが変更されると、制御部１０は、先ず、収納条件が変更された収納カセット３１及び搬送部４１を制御して、当該収納条件が変更された収納カセット３１から、収納されている紙幣を全て繰り出させる。紙幣の繰り出し先はたとえば収納カセット３１Ｆとすることができる。これにより、収納条件の変更の前後で収納カセット３１に異なる金種の紙幣が収納され、単一の収納カセット３１に異なる金種の紙幣が混在することが防止される。
【００４８】
（２）容量調整
制御部１０は、識別部２５の識別結果に基づき、紙幣処理装置１に入金された高額紙幣及び低額紙幣の枚数（以下「入金枚数」という）をそれぞれカウントする。制御部１０は、高額紙幣の入金枚数が上限枚数に達した場合には、以降、紙幣処理装置１に入金された高額紙幣を入金部２１又は出金部２３からリジェクトする。同様に、制御部１０は、低額紙幣の入金枚数が上限枚数に達した場合には、以降、紙幣処理装置１に入金された低額紙幣をリジェクトする。そして、制御部１０は、非セルフモードでは、高額紙幣及び低額紙幣の各上限枚数を同等とする一方、セルフモードでは、高額紙幣の上限枚数を低額紙幣の上限枚数よりも多い枚数に設定する。これにより、相対的に低額紙幣の入金枚数が制限され、低額紙幣用の収納カセット３１が満杯になることが抑制される。
【００４９】
（３）受付制限
制御部１０は、非セルフモードでは、紙幣が高額紙幣であるか低額紙幣であるかに拘わらず、紙幣の入金（受付）は制限されない。これに対し、制御部１０は、セルフモードでは、入金された紙幣が識別部２５により低額紙幣であると識別された場合には、低額紙幣をリジェクトする。すなわち、紙幣処理装置１は、セルフモードでは低額紙幣の入金（受付）を禁止し、高額紙幣についてだけ入金を許可する。これにより、セルフモードにおいて、低額紙幣用の収納カセット３１が満杯になってしまうことが未然に防止される。
【００５０】
（４）正損閾値調整
制御部１０は、識別部２５の紙幣に対する識別結果を正損判定値と比較することで、当該紙幣が正券であるか損券であるかを判定し、損券と判定した場合には、搬送部４１を制御して損券と判定したこの紙幣を、回収カセット３２へと搬送する。そして、制御部１０は、非セルフモードに比べてセルフモードでは正損判定値を厳しくする。すなわち、非セルフモードに比べてセルフモードでは、より損傷度合いの低い紙幣が正券と識別されるようになり、例えば、非セルフモードでは正券と識別された紙幣でも、セルフモードでは損券と判断され回収カセット３２へと搬送されることもある。これにより、紙幣の損傷に起因した収容部３１での紙詰まりなどのリスクが、セルフモードでは非セルフモードに比べて抑制されるようになる。
【００５１】
（５）損券受付制限
制御部１０は、識別部２５の紙幣に対する識別結果に基づいて、紙幣が損券である場合は、その損券の種類を判定する。具体的には、損券は、汚損券、厚損券及び欠損券の何れかに判定される。汚損券は汚れのある紙幣である。厚損券は、破れた箇所に粘着テープが貼り付けられて、粘着テープが貼り付けられた箇所が厚くなった紙幣である。欠損券は、一部が欠けるなどした紙幣である。制御部１０は、非セルフモードでは、入金された紙幣が、汚損券、厚損券又は欠損券であっても受け付けて、搬送部４１を制御してこの紙幣を回収カセット３２へと搬送する。その一方、制御部１０は、セルフモードでは、入金された紙幣が、厚損券又は欠損券である場合には、搬送部４１を制御してこの紙幣をリジェクトする。これにより、紙幣の損傷に起因した搬送部４１での紙詰まりなどのリスクが、セルフモードでは非セルフモードに比べて抑制されるようになる。
【００５２】
（６）ジャム緩和
制御部１０は、図示しないジャム監視タイマを使用して、入金された紙幣が搬送部４１のある範囲を通過する時間を監視し、この時間が所定時間を超えた場合には紙幣の詰まりが生じていると判定する。制御部１０は、セルフモードでは、非セルフモードに比べてジャム監視タイマを緩める。すなわち、非セルフモードでは、入金金額の違算を防止する為に、タイマ値を比較的短くして早目に異常を検知するようにしているのに対し、セルフモードでは、非セルフモードに比べてタイマ値を長くしたり、ジャム監視タイマの監視自体を行わないようにしたりしている。これは、セルフモード時においては、ジャム監視タイマがタイムアップして異常と判断されても、オペレータが不在のため復旧作業を行えないためである。すなわち、タイマ値を長めにして、異常が生じているとして紙幣処理装置１が停止されるまでの時間を長く設定し、この時間内に、紙幣処理装置１自体の処理によりジャムが解消されることを狙っているのである。或いは、ジャムが発生しても紙幣は紙幣処理装置１の内部に保持されるので、このような状況では、当該ジャムによって銀行等の紙幣処理装置１を保有する機関が損失を被らないとして、ジャム監視タイマの監視自体を行わないようにしているのである。
【００５３】
（７）シャッタ動作
非セルフモードでは、顧客に取り忘れられた紙幣が出金口２３１にあった場合でも、オペレータが監視しているため、この紙幣を顧客以外の第三者に持ち去られてしまうおそれは少ない。このため、制御部１０は、非セルフモードでは、シャッタ２３ａを制御してシャッタ２３ａは一定して開状態とされる。一方、セルフモードでは、オペレータが不在のため、制御部１０は、紙幣を出金口２３１まで搬送する出金動作中は、シャッタ２３ａを開状態に制御し、出金動作中でないときは、シャッタ２３ａを閉状態に制御する。すなわち、セルフモードでは、出金動作中の間だけシャッタ２３ａが開かれ、それ以外は、シャッタ２３ａが閉じられる。したがって、オペレータが不在のセルフモード時には、顧客が紙幣を出金口２３１から取り忘れても、出金口２３１がシャッタ２３ａにより閉じられて出金口２３１の紙幣が第三者に持ち去られてしまうことが防止される。なお、顧客が紙幣を出金口２３１から取り忘れた場合は、シャッタ２３ａを閉じた後に当該紙幣をたとえば回収カセット３１Ｆに搬送することで、セルフモードにおける運転を再開・続行できるように紙幣処理機１を構成してもよい。
【００５４】
（８）リセット紙幣の行き先
紙幣処理装置１に何らかの異常が発生した際に、紙幣処理装置１内の搬送部４１や一時保留部５１に残留した紙幣のことをリセット紙幣という。制御部１０は、非セルフモードではリセット紙幣を出金口２３１へ搬送し、セルフモードではリセット紙幣を回収カセット３２へ搬送する。セルフモードにおいてリセット紙幣を回収カセット３２へ搬送するのは、非セルフモードと同様にリセット紙幣を出金口２３１へ搬送してしまうと、監視するオペレータがいないため、このリセット紙幣が持ち去られてしまうおそれがあるためである。
【００５５】
（９）入金処理
制御部１０は、搬送部４１を制御して、非セルフモードでは、入金された紙幣を、一時保留部５１を経由せずに収納カセット３１へ直接搬送し（ダイレクト入金）、セルフモードでは、入金された紙幣を、一時保留部５１を経由させて収納カセット３１に搬送する（非ダイレクト入金）。ダイレクト入金と異なり、一時保留部５１を経由する非ダイレクト入金では、入金処理を確定させる前に、顧客の紙幣を一時保留部５１に搬送した段階で顧客に入金処理確定の意思の確認を取ることができる。これにより、たとえば顧客が入金した紙幣をキャンセルしたい場合でも、顧客が入金した紙幣そのものを一時保留部５１から出金口２３１に搬送して顧客に返却することができる。このため、オペレータの不在時に行われるセルフモードでは、入金された紙幣が一時保留部５１に搬送される非ダイレクト入金が行われようになっている。
【００５６】
（１０）処理制限
制御部１０は、非セルフモードでは紙幣処理装置１による処理を制限せず、セルフモードでは紙幣処理装置１による処理を入金処理のみに制限して、出金処理や紙幣処理装置１からの紙幣の回収を禁止する。セルフモードでは紙幣処理装置１による処理を入金処理のみに制限することで、例えば、銀行を退職した人間が不正なＩＤコードを使用して紙幣処理装置１のから紙幣を不当に持ち出せないようにしている。すなわち、紙幣処理装置１を監視するオペレータが不在時に実施されるセルフモードでは、非セルフモードよりもセキュリティのレベルを厳しくしている。
【００５７】
（１１）取引の回数制限
制御部１０は、同一の顧客による一日あたりの取引回数を、非セルフモードでは制限せず、セルフモードでは制限する。すなわち、１日に所定回数以上出金する顧客は不正を行っている可能性があるとして、セルフモードでは同一の顧客による一日あたりの取引回数を制限して、実際にこの顧客が不正を行っていたとしても、不正の影響を最小限に収めるようにしている。
【００５８】
（１２）偽札回収
（１２−１）制御部１０は、識別部２５の紙幣に対する識別結果に基づいて、当該紙幣が、真券であるか、偽券であるか、又は、真偽不確定券であるかを判定する。真偽不確定券とは、真券及び偽券の何れであるか識別できない紙幣のことである。制御部１０は、非セルフモードでは、紙幣を偽券と判定した場合には、搬送部４１を制御して、この偽券と判定された紙幣を例えば回収カセット３２へ搬送し、紙幣を真偽不確定券と判定した場合には、搬送部４１を制御して、例えば出金部２３ａへ搬送する。出金部２３ａへ搬送された真偽不確定券は、オペレータにより真偽が確認される。一方、制御部１０は、セルフモードでは、偽券と判定された紙幣及び真偽不確定券と判定された紙幣の両方を例えば回収カセット３２へ搬送する。すなわち、セルフモードでは、真偽を確認するオペレータが不在のため、偽券に加えて真偽不確定券も紙幣処理装置１に回収される。
【００５９】
（１２−２）或いは、制御部１０は、識別部２５の紙幣に対する識別結果に基づいて、当該紙幣が偽券であると判定した場合には次にように制御してもよい。つまり、制御部１０は、カードリーダ６０により取得した顧客の口座情報（利用者情報）及び生体認証装置６１により取得した顧客の識別情報（利用者情報）の少なくとも一方を記憶部１０ａに記憶させる。そして、制御部１０は、搬送部４１を制御し、非セルフモードの場合、偽券と判定された紙幣を、紙葉類処理装置１内（例えば回収カセット３２）に搬送して保持する一方、セルフモードの場合、偽券と判定された紙幣を例えば出金口２３１（排出部）へ搬送してリジェクトする。
【００６０】
（１３）ログイン
紙幣処理装置１がカードリーダ６０と生体認証装置６１との両方を備えている場合、非セルフモードでは、制御部１０は、カードリーダ６０によりキャッシュカードから正規の顧客情報を読み取ることができた場合には紙幣処理装置１へのログインを可能とする。その一方、制御部１０は、セルフモードでは、カードリーダ６０によりキャッシュカードから正規の顧客情報を読み取ることができると共に、生体認証装置６１から正規の顧客情報を読み取ることができた場合に紙幣処理装置１へのログインを可能とする。つまり、オペレータ不在時には、キャッシュカードによる認証と生体認証との二重認証により、不正なログインを防止するようにしている。
【００６１】
（１４）金庫鍵の解錠条件
制御部１０は、非セルフモードでは、金庫部１３の扉１３３の電子錠１３３ａを解錠する際、電子錠１３３ａに設定された暗証番号の入力を要求し、入力された暗証番号が正しい場合に電子錠１３３ａを解錠する。一方、制御部１０は、セルフモードでは、上記暗証番号に加え、担当者のＩＤの入力を要求し、暗証番号が正しく、且つ、ＩＤが、紙幣を回収する権限を有する担当者のＩＤであることが認証された場合に電子錠１３３ａを解錠する。なお、職員のＩＤの認証は、例えば、制御部１０に接続された上位のサーバによるリモート認証により行われる。
【００６２】
（１５）メンテ員モード
制御部１０は、非セルフモードでは、金庫部１３の扉１３３の電子錠１３３ａを解錠する際、電子錠１３３ａに設定された暗証番号の入力を要求し、入力された暗証番号が正しい場合に電子錠１３３ａを解錠する。一方、制御部１０は、セルフモードでは、上記暗証番号に加え、担当者のＩＤの入力を要求し、暗証番号が正しく、且つ、ＩＤが、メンテナンスを行う権限を有する担当者のＩＤであることが認証された場合に電子錠１３３ａを解錠する。
【００６３】
［３．効果］
運転モードがセルフモードの場合と運転モードが非セルフモードの場合とで、複数ある収納カセット３１の内、少なくとも一つの収納カセット３１の収納条件が変更される。したがって、収納カセット３１の収納条件を運転モードに応じた適切な条件に設定することができる。よって本発明の一実施形態によれば、紙幣処理装置１が種々の使用状況に応じて適切な運転を行って、紙幣処理装置１の利便性を向上させることができる。
【００６４】
セルフモードの場合に、少なくとも一つの収納カセット３１が、紙幣処理装置１が設置された地域において流通量が最多の金種を収納するように変更される。すなわち、当該流通量が最多の金種に割り当てられる収納カセット３１の数量が増やされる。したがって、オペレータが不在のセルフモード中において、当該流通量が最多の金種に割り当てられた収納カセット３１が満杯になることが抑制され、セルフモード中に紙幣処理装置１により安定して紙幣処理を行える。
【００６５】
セルフモードと非セルフモードとの間で運転モードが変更されると、制御部１０は、運転モードの変更に伴って収納条件が変更された収納カセット３１から、収納されている紙幣を全て繰り出させる。これにより、収納条件の変更の前後で収納カセット３１に異なる金種の紙幣が収納され、単一の収納カセット３１に異なる金種の紙幣が混在することが防止される。
【００６６】
収納カセット３１Ｄ，３１Ｅ，３１Ｆは、紙幣処理装置１に着脱可能に構成されているので、回収カセットとしての使用が可能になる。したがって、紙幣処理装置１の運用の幅が拡がり、より一層、紙幣処理装置１の利便性を向上させることができる。
【００６７】
非セルフモードに比べてセルフモードでは、正損判定値が、紙幣が正券であると判定される基準を高める側に変更される。したがって、セルフモードでは、収納カセット３１に搬送される紙幣が、非セルフモードに比べて、より損傷度合いの低い紙幣に限られるようになり、紙詰まりなどのリスクが抑制されるようになる。よって、オペレータが不在時に実施されるセルフモード中に、紙幣処理装置１により安定して紙幣処理を行える。
【００６８】
セルフモードでは、偽券と判断された紙幣が紙幣処理装置１に回収されるので、オペレータ不在時に偽券に対して適切な処置を取ることができる。
【００６９】
セルフモードと非セルフモードとの切り替えは、制御部１０が時刻情報に基づいて行うので、セルフモードと非セルフモードとの切り替えを確実に行える。セルフモードと非セルフモードとの切り替えを、オペレータが、オペレータ端末２００又は操作表示部１００を操作して行うようにした場合には、状況に応じた適切なタイミングで、セルフモードと非セルフモードとの切り替えを行える。
【００７０】
［４．その他］
［４−１．その他１］
上述したように収納カセット３１Ｄ，３１Ｅ，３１Ｆは金庫部１３から取り出し可能であり、これらの収納カセット３１Ｄ，３１Ｅ，３１Ｆを回収カセットとして使用してもよい。上述したように、収納カセット３１Ｄ，３１Ｅは巻回式であり、収納カセット３１Ｆは積層式である。すなわち、紙幣処理装置１では、回収カセットとして巻回式のものと積層式のものとの２つの異なる型式のものを備えている。
【００７１】
巻回式の収納カセット３１Ｄ，３１Ｅは、収納した紙幣を、収納した順序と逆の順序で繰り出すので、回収カセットとして様々な種類の紙幣を収納する場合であっても、繰り出す紙幣の種類を管理しやすい。したがって、出金などに再利用される紙幣を回収するのに適している。一方、積層式の収納カセット３１Ｆは、紙幣が必ずしも収納された順序で積層されないので、回収カセットとして様々な種類の紙幣を収納する場合には、繰り出す紙幣の種類を管理しづらいが、大量の紙幣を回収するのに適している。
【００７２】
したがって、巻回式の収納カセット３１Ｄ，３１Ｅの特徴と、積層式の収納カセット３１Ｆの特徴とを活かすように、収納カセット３１Ｄ，３１Ｅに割り当てる紙幣と収納カセット３１Ｆに割り当てる紙幣とを設定することで、紙幣処理装置１の利便性を向上させることができる。
【００７３】
下表２に、収納カセット３１Ｄ，３１Ｅ，３１Ｆを回収カセットとして使用する場合において、収納カセット３１Ｄ，３１Ｅ，３１Ｆへ割り当てる紙幣のパターン（割当パターン）を示す。なお、収納カセット３１Ｄ，３１Ｅ，３１Ｆを回収カセットとして使用するとは、収納カセット３１Ａ，３１Ｂ，３１Ｃに収納できない紙幣を収納カセット３１Ｄ，３１Ｅ，３１Ｆに収納することをいう。
【００７４】
【表２】
2020154588.tif 000004
【００７５】
以下、上表２の割当パターンについて説明する。なお、割当パターン１〜４は、非セルフモードで使用される割り当てパターンの例であり、割当パターン５〜１０は、セルフモードで使用される割り当てパターンの例である。
【００７６】
（１）割当パターン１
収納カセット３１Ｄ，３１Ｅ，３１Ｆには、それぞれ、従来の回収カセットと同様の紙幣が割り当てられる。すなわち、損券、偽券、及び、収納カセット３１Ａ，３１Ｂ，３１Ｃからオーバーフローした紙幣が収納される。従来の紙幣処理装置では、回収カセットが１つであることが一般的であったが、収納カセット３１Ｄ，３１Ｅ，３１Ｆを回収カセットとして使用するので、実質的に回収カセットの容量を大幅に増大することができる。
【００７７】
（２）割当パターン２
収納カセット３１Ｄ，３１Ｅには新券が収納される。巻回式である収納カセット３１Ｄ，３１Ｅが繰り出す紙幣の種類を管理しやすいことから、収納された新券は、収納カセット３１Ｄ，３１Ｅから繰り出される。一方、収納カセット３１Ｆには旧券が収納される。旧券は銀行に回収され、原則出金されることはないので、積層式の収納カセット３１Ｆに収納するようにしている。
【００７８】
（３）割当パターン３
収納カセット３１Ｄ，３１Ｅには、それぞれ、従来の回収カセットと同様の紙幣が割り当てられる。収納カセット３１Ｆには強制取り込み紙幣が割り当てられる。強制取り込み紙幣とは、模様の剥がれ等によって、識別部２５による正券と識別されなかった紙幣のうち、オペレータにより正券と判断されて紙幣処理装置１に取り込まれた紙幣のことである。
【００７９】
（４）割当パターン４
収納カセット３１Ｆには、クリアウィンドウ（透明の窓）等の透明部が設けられポリマー紙幣が割り当てられる。収納カセット３１Ｄ，３１Ｅには、クリアウィンドウの無い紙幣が割り当てられる。なお、収納カセット３１には、通常、紙幣の穴あきなどを検出するための光学センサが設けられている。クリアウィンドウの無い紙幣が割り当てられる収納カセット３１Ｄ，３１Ｅには、このような光学センサが設けられた通常の収納カセット（通常カセット）が使用される。ここで、光学センサだけではクリアウィンドウが紙幣に空いた穴と誤認識されてしまうおそれがある。このため、クリアウィンドウを有するポリマー紙幣が割り当てられる収納カセット３１Ｆでは、光学センサに加えて反射センサや超音波センサが追加された収納カセット（センサ追加カセット）が使用される。
【００８０】
（５）割当パターン５
収納カセット３１Ｄ，３１Ｅには、収納カセット３１Ａ，３１Ｂ，３１Ｃからオーバーフローした紙幣が割り当てられ、収納された紙幣は出金に再利用される。収納カセット３１Ｆには、設定金種外の紙幣すなわち収納カセット３１Ａ，３１Ｂ，３１Ｃに設定された金種以外の紙幣〔通常、回収されるべき紙幣（回収紙幣）〕が割り当てられる。
【００８１】
（６）割当パターン６
収納カセット３１Ｄ，３１Ｅには、収納カセット３１Ａ，３１Ｂ，３１Ｃからオーバーフローした紙幣と、設定金種外の紙幣すなわち収納カセット３１Ａ，３１Ｂ，３１Ｃに設定された金種以外の紙幣とが割り当てられる。換言すれば、収納カセット３１Ｄ，３１Ｅには、銀行の紙幣、つまり金庫内に収納された紙幣としてカウントされた金庫内紙幣が収納される。一方、収納カセット３１Ｆには、顧客が出金口２３１から取り忘れた紙幣（リトラクト紙幣）が割り当てられる。換言すれば、収納カセット３１Ｆには、確定前紙幣、つまり金庫部１３の収納が確定した紙幣としてカウントされる前の紙幣が収納される。
【００８２】
（７）割当パターン７
収納カセット３１Ｄ，３１Ｅには損券が割り当てられる。収納カセット３１Ｆには、偽券、真偽不確定券が割り当てられる。偽券、真偽不確定券はセルフモードでは、顧客への返却は行われないので、繰り出しには不向きの収納カセット３１Ｆに割り当てられる。
【００８３】
（８）割当パターン８
収納カセット３１Ｄ，３１Ｅには、強制取り込み紙幣の内、識別部２５で記番号が識別された紙幣、すなわち入金者の特定及び追跡（トレース）可能な信頼性のある紙幣が割り当てられる。収納カセット３１Ｆには、強制取り込み紙幣の内、識別部２５で記番号が識別されなかった紙幣、すなわち入金者の特定及び追跡（トレース）不能な信頼性の低い紙幣が割り当てられる。
【００８４】
（９）割当パターン９
収納カセット３１Ｄ，３１Ｅには、汚損券と、識別部２５が金種を判定できなかった（金種判定異常の）紙幣とが割り当てられる。収納カセット３１Ｆには、破れ又は欠損など形状を原因としてリジェクトされた紙幣（ＲＪ券）、破れ券、及び斜行券が割り当てられる。セルフモードにおいて、形状系のリジェクト紙幣（ＲＪ券）、破れ券、及び斜行券を収納カセット３１Ｆに回収するのは、搬送中にジャムエラーが生じるおそれがあるため、収納カセット３１Ｆに回収して再利用を禁止するためである。
【００８５】
（１０）割当パターン１０
収納カセット３１Ｄ，３１Ｅには、入金口２１１から出金用に補充された紙幣のうちの異常券、すなわち損券及びリサイクルするには不向きの紙幣が割り当てられる。なお、入金口２１１から出金用に補充された紙幣が偽券であった場合、この偽券はリジェクトされる。収納カセット３１Ｆには、収納カセット３１Ａ〜３１Ｄに予め格納された紙幣のうちの異常券、つまり偽券等のように本来出金されてはいけない紙幣が割り当てられる。収納カセット３１Ａ〜３１Ｄに予め格納された紙幣とは、紙幣が不足している収納カセット３１に補充された紙幣のことである。詳しくは、収納カセット３１Ａ〜３１Ｄに収納する紙幣が不足しているものがあった場合に、この紙幣が不足している収納カセット３１が機外に取り出され、人手により紙幣が補充され、この補充された紙幣のことである。収納カセット３１Ａ〜３１Ｄに予め格納された紙幣に異常券があった場合には、この異常券は、出金処理時に識別部２５を通った際に検出されて、機外に排出されないように収納カセット３１Ｆに保管される。
【００８６】
なお、巻回式の収納カセット３１Ｄ，３１Ｅと積層式の収納カセット３１Ｆとを回収カセットとして使用する場合には、非セルフモードとセルフモードとに拘わらず割り付けパターンを一定としてもよい。換言すれば、巻回式の収納カセット３１Ｄ，３１Ｅと積層式の収納カセット３１Ｆとを回収カセットとして使用する場合には、セルフ状態と非セルフ状態とで運転モードを変更しなくてもよい。
【００８７】
［４−２．その他２］
図２及び図３を参照して、識別センサ２５が故障した場合に、識別センサ２５に替えて光学センサＣを使用して、出金される紙幣の異常を検出する方法について説明する。図２は、紙幣の異常検出方法を説明するための模式図であって、紙幣処理装置の要部側面図、図３は、紙幣の異常検出方法を説明するための模式図であって、紙幣処理装置の要部平面図である。
【００８８】
紙幣処理装置では、例えば収納カセット３１Ｄから紙幣Ｓ（紙葉類）を繰り出して出金する際、通常、図２において矢印Ａ１，Ａ２，Ａ３，Ａ４，Ａ５，Ａ６の順に紙幣Ｓが搬送され、識別センサ２５により紙幣Ｓの識別が行われる。
【００８９】
制御部１０は、識別センサ２５から識別結果を示す信号が送信されない場合や識別結果を示す信号が異常な場合、識別センサ２５が故障していると判断する。制御部１０は、識別センサ２５が故障していると判断すると、搬送部４１を制御して、紙幣Ｓを、矢印Ａ１，Ａ２，Ａ７，Ａ６の順に出金部２３まで搬送する。制御部１０は、この際、光学センサＣを使用して、収納カセット３１Ｄから繰り出された紙幣Ｓの変形等の異常を検出する。
【００９０】
光学センサＣを使用した紙幣Ｓの異常の検出方法について説明する。光学センサＣは、図３に示すように装置幅方向に複数（ここでは２個）並設されている。制御部１０は、装置幅方向に並設された光学センサＣが紙幣Ｓによって遮光される時間に基づいて紙幣Ｓの斜行角を検出する。また、制御部１０は、収納カセット３１Ｄに紙幣Ｓが収納される毎に当該紙幣Ｓの斜行角を検出し、記憶部１０ａに記憶させている。
【００９１】
制御部１０は、識別センサ２５が故障している場合には、収納カセット３１Ｄから繰り出された紙幣Ｓの斜行角を、光学センサＣを使用して検出すると共に、当該紙幣Ｓの収納カセット３１Ｄへの収納時の斜行角を記憶部１０ａから読み出す。そして、制御部１０は、当該紙幣Ｓの収納カセット３１Ｄへの収納時の斜行角と、収納カセット３１Ｄからの繰り出し時の斜行角とを比べる。制御部１０は、これらの斜行角の相異が閾値以上ある場合には、当該紙幣Ｓに変形等の異常があると判定し、当該相異が閾値未満の場合には、当該紙幣Ｓは正常であると判定する。
【産業上の利用可能性】
【００９２】
本発明は、紙葉類処理装置に適用でき、その産業上の利用可能性は高い。
【符号の説明】
【００９３】
１  紙幣処理装置（紙葉類処理装置）
３  収納部
１０  制御部
１０ａ  記憶部
１１  処理部
１３  金庫部
２１  入金部
２１ａ  シャッタ
２３  出金部
２３ａ  シャッタ
２５  識別部
３１，３１Ａ〜３１Ｆ  収納カセット
３２  回収カセット
４１  搬送部
５１  一時保留部
６０  カードリーダ
６１  生体認証装置
１００  操作表示部（第一操作端末、モード選択部）
１１１  筐体
１３１  筐体
１３３  扉
１３３ａ  電子錠
２００  オペレータ端末（第二操作端末、モード選択部）
２１１  入金口
２３１  出金口（排出部）
３１１  集積台
３１２  リール
４１１  搬送路
４１３  投入路
４１５  払出路
４１６，４１７  分岐路
Ｃ  光学センサ
Ｓ  紙幣（紙葉類）
【図１】
2020154588.tif 000005
【図２】
2020154588.tif 000006
【図３】
2020154588.tif 000007